(57)【要約】    【課題】スペーサ部品を取り付けなくても鞍型垂直偏向コイルの間隔を所定の寸法に保つ事が出来、且つクロストーク調整を可能としたスペーサ部を有した偏向ヨークのセパレータを提供する。    【解決手段】  セパレータのブラウン管スクリーン側から見て上下方向に位置する分割部の外周面６側の管軸方向中間部に、前記セパレータのネック側とスクリーン側の２個所に支点を設けた支柱部２ａ，２ｂにより前記外周面側上からは中空の状態にスペーサ部１を形成し、前記支柱部２ａ，２ｂの肉厚を０．５ｍｍ〜１．０ｍｍと薄くして可撓性を持たせ、クロストーク調整可能な偏向ヨークのセパレータ１００とする。    【選択図】図１
2006040558.tif 000002
【特許請求の範囲】
【請求項１】
一対の半円筒状のセパレータを介して配置された一対の鞍型水平偏向コイルと一対の鞍型垂直偏向コイルを具備してなる偏向ヨークにおいて、
前記セパレータは、ブラウン管スクリーン側から見て上下方向に位置する分割部の外周面側の管軸方向中間部に前記一対の鞍型垂直偏向コイルを突き合わせたときにコイル間隔を所定の寸法に保つ為のスペーサ部を形成したことを特徴とする、偏向ヨークのセパレータ。
【請求項２】
前記スペーサ部は、前記セパレータのブラウン管ネック側の嵌合壁とブラウン管スクリーン側の嵌合壁の２個所に支点を設けた支柱部により分割部の外周面上からは中空の状態に設置され、前記支柱部はブラウン管上側から見て管軸方向に対して直交する方向の肉厚を０．５ｍｍ〜１．０ｍｍと薄くして該スペーサ部に可撓性を持たせたことを特徴とする、請求項１記載の偏向ヨークのセパレータ。
【発明の詳細な説明】
【技術分野】
【０００１】
本発明は、一対の鞍型水平偏向コイルと一対の鞍型垂直偏向コイルを具備してなる偏向ヨークのセパレータに関するものであり、特にはスペーサ部品を取り付けなくても鞍型垂直偏向コイルの間隔を所定の寸法に保つ事が出来るスペーサ部を有した偏向ヨークのセパレータの構造に関するものである。
【背景技術】
【０００２】
従来、一対の鞍型水平偏向コイルと一対の鞍型垂直偏向コイルを具備してなる、所謂クラ−クラ型偏向ヨークでは、前記一対の鞍型垂直偏向コイルをセパレータの外側に装着する際に該鞍型垂直偏向コイルの間隔を所定の寸法に保つ為のスペーサと呼ばれる部品をセパレータに装着し、このスペーサ部品に一対の該鞍型垂直偏向コイルを突き合わせた状態で両コイルを粘着テープで仮固定し、次に該鞍型垂直偏向コイルの外周には半円筒状の磁性体コアを装着し、次にクロストーク調整を行ってからホットメルト等の接着剤を用いて、該鞍型垂直偏向コイルと該磁性体コアと該セパレータとを固定していた。
【特許文献１】実用新案登録第２６０４８８８号公報
【特許文献２】特開２００４−２２２５８号公報
【発明の開示】
【発明が解決しようとする課題】
【０００３】
近年、客先より偏向ヨークのコストダウンが求められており、その為の様々な方法を模索してきた。前述の通り、従来のクラ−クラ型偏向ヨークでは部品点数としてセパレータとスペーサ部品の２種類が必要となってしまい、部材のコストアップや組立工数のアップの一因となっていた。
【０００４】
本発明は、上記従来技術が有する各種問題点を解決するためになされたものであり、簡便な手段により一対の鞍型垂直偏向コイル間隔を所定の寸法に保つことが可能で、またコストダウンすることが出来る偏向ヨークのセパレータを提供することを目的とする。
【課題を解決するための手段】
【０００５】
第１の観点として本発明は、一対の半円筒状のセパレータを介して配置された一対の鞍型水平偏向コイルと一対の鞍型垂直偏向コイルを具備してなる偏向ヨークにおいて、前記セパレータは、ブラウン管スクリーン側から見て上下方向に位置する分割部の外周面側の管軸方向中間部に前記一対の鞍型垂直偏向コイルを突き合わせたときにコイル間隔を所定の寸法に保つ為のスペーサ部を形成したことを特徴とする、偏向ヨークのセパレータを提供する。
上記第１の観点のセパレータでは、セパレータにスペーサ部を形成したことにより従来使用していたスペーサ部品と同等の機能を持ちながら部品点数を減らすことが出来、部品コスト及び組立工数の削減が可能となった。
【０００６】
第２の観点として本発明は、前記スペーサ部は、前記セパレータのブラウン管ネック側の嵌合壁とブラウン管スクリーン側の嵌合壁の２個所に支点を設けた支柱部により分割部の外周面上からは中空の状態に設置され、前記支柱部はブラウン管上側から見て管軸方向に対して直交する方向の肉厚を０．５ｍｍ〜１．０ｍｍと薄くして該スペーサ部に可撓性を持たせたことを特徴とする、請求項１記載の偏向ヨークのセパレータを提供する。
上記第２の観点のセパレータでは、２本の支柱部によりスペーサ部が分割部の外周面上から中空の状態で設置されており、また支柱部の肉厚を０．５ｍｍ〜１．０ｍｍと薄くして可撓性を持たせているので、一対の鞍型垂直偏向コイルをスペーサ部に突き合わせて配置した後に管軸方向に対して若干の回転（具体的にはセパレータ分割面を中心に見て、±１ｍｍ程度）が可能となり、クロストーク調整が出来るようになった。
支柱部の肉厚を０．５ｍｍ〜１．０ｍｍとした理由は、まず肉厚を０．５ｍｍより薄くしてしまうと支柱部の強度不足によるクロストーク調整時の破損の恐れやセパレータ成型時に材料が金型内にうまく廻らずに成型不良が多発してしまう恐れがあるからで、また肉厚を１．０ｍｍより厚くしてしまうと十分な可撓性が得られなくなってしまうからである。
【発明の効果】
【０００７】
本発明の偏向ヨークのセパレータによれば、スペーサ部品を装着しなくとも該スペーサ部品と同等の効果が得られ、部品コスト及び組立工数の削減が出来る。
【発明を実施するための最良の形態】
【０００８】
以下、図に示す実施例により本発明を更に詳細に説明する。なお、これにより本発明が限定されるものではない。
【実施例１】
【０００９】
図１（ａ）は、実施例１に係る偏向ヨークのセパレータ１００を示す側面図で、図１（ｂ）は図１（ａ）の一部拡大図である。また図２（ａ）は図１（ａ）の分割面の内側（視点Ａ方向）から見た図で、図２（ｂ）は図２（ａ）の一部拡大図である。図３は組立てたセパレータ１００に一対の鞍型垂直偏向コイル７を組み付ける際の説明図である。
このセパレータ１００は、該セパレータの分割部の外周面６側の管軸方向中間部に、ブラウン管ネック側の嵌合壁３ａとブラウン管スクリーン側の嵌合壁３ｂをそれぞれ支点４ａ，４ｂとした支柱部２ａ，２ｂにより、外周面６からは空間ｓを挟んで中空の状態に設置されたスペーサ部１を形成している。このスペーサ部１は図３に示す通り、一対の鞍型垂直偏向コイルを付き合わせたときにコイル間隔を所定の寸法に保つので、組立て誤差によるコイル特性のばらつきを防ぐことが出来る。また、支柱部２ａ，２ｂは図１（ｂ）の通り管軸方向に対して直行する方向の肉厚を０．５ｍｍ〜１．０ｍｍと薄くしてあるので左右方向（管軸方向に対して直行する方向）に±１．０ｍｍ程の可撓性があるので、クロストーク調整が可能である。
【産業上の利用可能性】
【００１０】
本発明の偏向ヨークのセパレータは、クラ−クラ型偏向ヨークに利用出来る。
【図面の簡単な説明】
【００１１】
【図１】実施例１にかかる偏向ヨークのセパレータを示す側面図、及び一部拡大図である。
【図２】図１の分割面の内側（視点Ａ方向）から見た図、及び一部拡大図である。
【図３】組立てた実施例１にかかる偏向ヨークのセパレータに一対の鞍型垂直偏向コイルを組み付ける際の説明図である。
【符号の説明】
【００１２】
１    スペーサ部
２ａ，２ｂ  支柱部
３ａ，３ｂ  嵌合壁
４ａ，４ｂ  支点
５    内周面
６    外周面
７    鞍型垂直偏向コイル
１００  セパレータ
【図１】
2006040558.tif 000003
【図２】
2006040558.tif 000004
【図３】
2006040558.tif 000005